(57)【要約】【課題】コイルの変形を防止して信頼性を改善し、高透磁率を有するコイル部品を提供する。【解決手段】巻線型コイルは予め製作が完了した磁心に巻かれており、磁心に巻かれた巻線型コイルが複数の磁性シートの積層構造を有する封止体によって封止される。この場合、上記巻線型コイルから発生する磁束は、上記磁心と上記封止体内に含まれる磁性粉末の長軸と平行になるように配列される。【選択図】図１
2018110215.tif 000002
【特許請求の範囲】
【請求項１】
巻線型コイルを含む本体と、
前記本体の外部面に配置される外部電極と、を含むコイル部品であって、
前記本体は、前記巻線型コイルが巻かれた磁心と、前記巻線型コイルを封止する封止体と、を含み、
前記磁心は形状磁気異方性を有する第１磁性粉末を含み、前記封止体は形状磁気異方性を有する第２磁性粉末を含み、
前記封止体は、前記第２磁性粉末を含む複数の磁性シートを積層した積層構造を有しており、
前記第１磁性粉末及び前記第２磁性粉末の長軸が、前記巻線型コイルの磁場が形成される方向と平行になるように整列される、コイル部品。
【請求項２】
前記第１磁性粉末と前記第２磁性粉末は複数の長軸を含み、前記長軸の少なくとも１つの長軸は、他の長軸と直交するように構成される、請求項１に記載のコイル部品。
【請求項３】
前記封止体の前記複数の磁性シートは、硬化性樹脂中に複数の前記第２磁性粉末が分散された構造を有し、隣接する前記第２磁性粉末が互いに接触する構造を有する、請求項１または２に記載のコイル部品。
【請求項４】
前記巻線型コイルの内部における磁場の方向に沿った前記磁心の長さは、前記巻線型コイルの内部における磁場の方向に沿った前記巻線型コイルの長さよりも長い、請求項１から３のいずれか一項に記載のコイル部品。
【請求項５】
前記磁心の両端部面は前記本体の外部面に露出している、請求項１から４のいずれか一項に記載のコイル部品。
【請求項６】
前記本体は、前記巻線型コイルの内部領域と定義されるコア中心部と、前記コア中心部を囲む外側部と、で構成されており、前記磁心は、前記コア中心部及び前記外側部の少なくとも一部を構成する、請求項１から５のいずれか一項に記載のコイル部品。
【請求項７】
前記コア中心部内の前記第１磁性粉末の少なくとも１つの長軸は、前記外側部内の前記第１磁性粉末または前記第２磁性粉末の少なくとも１つの長軸と互いに直交する、請求項６に記載のコイル部品。
【請求項８】
前記本体は、厚さ方向に互いに対向する上面及び下面、長さ方向に互いに対向する第１端面及び第２端面、幅方向に互いに対向する第１側面及び第２側面を含み、前記巻線型コイルの内部における磁場の方向は前記長さ方向と平行であり、前記封止体の前記複数の磁性シートは前記幅方向に沿って積層されている、請求項１から７のいずれか一項に記載のコイル部品。
【請求項９】
前記磁心内の前記第１磁性粉末は１つの短軸を有し、短軸は前記本体の幅方向と平行に配置される、請求項８に記載のコイル部品。
【請求項１０】
前記磁心の外部境界面は、前記磁心を形成させた金型の内部境界面と対応する表面粗さを有する、請求項８または９に記載のコイル部品。
【請求項１１】
前記磁心は、前記長さ方向と平行に配置される軸を含む柱状からなる、請求項１０に記載のコイル部品。
【請求項１２】
前記磁心内に含まれる前記第１磁性粉末はコア−シェル構造を有しており、前記第１磁性粉末のコアは少なくとも１つの金属を含む化合物を含み、シェルはエポキシ樹脂を含み、前記第１磁性粉末の前記コアはシェルによって囲まれ、前記コアの表面上に前記シェルが直接配置される、請求項１０または１１に記載のコイル部品。
【請求項１３】
前記磁心は、前記本体の幅方向に沿って積層された複数の磁性シートを積層した積層構造を有する、請求項８から１２のいずれか一項に記載のコイル部品。
【請求項１４】
前記封止体内の前記第２磁性粉末は１つの長軸を有し、短軸は前記本体の幅方向と平行に配置される、請求項８から１３のいずれか一項に記載のコイル部品。
【請求項１５】
前記第１磁性粉末及び前記第２磁性粉末はフレーク粒子またはリボン状粒子である、請求項１から１４のいずれか一項に記載のコイル部品。
【請求項１６】
前記磁心の外面の少なくとも一部は前記外部電極の内部面と接する、請求項１から１５のいずれか一項に記載のコイル部品。
【請求項１７】
前記外部電極のそれぞれはアルファベットのＣ字状を有する、請求項１から１６のいずれか一項に記載のコイル部品。
【請求項１８】
前記外部電極のそれぞれはアルファベットのＬ字状を有する、請求項１から１６のいずれか一項に記載のコイル部品。
【請求項１９】
巻線型コイル、前記巻線型コイルが巻かれた複数の磁心、及び前記巻線型コイルと積層された磁心を封止する封止体を含む本体と、
前記本体の外部面に配置される外部電極と、を含み、
前記磁心は形状磁気異方性を有する第１磁性粉末を含み、前記封止体は形状磁気異方性を有する第２磁性粉末を含み、
前記封止体は、前記第２磁性粉末を含む複数の磁性シートが積層された積層構造を有しており、
前記第１磁性粉末及び前記第２磁性粉末の長軸が、前記巻線型コイルに形成される磁場の方向と平行になるように整列される、コイル部品。
【発明の詳細な説明】
【技術分野】
【０００１】
本発明は、コイル部品に関するものであって、具体的には、モールディング型インダクターと積層型インダクターを結合した方式のハイブリッド型パワーインダクターに関するものである。
【背景技術】
【０００２】
通常、インダクターに用いられる磁性材料は、フェライト（ｆｅｒｒｉｔｅ）や金属粉末が球状に近い形状を有するため、磁場が加えられると、特定の方向ではなく全体方向に同一に磁場が分布される。この際、長軸と短軸の長さが互いに異なる板状のフレーク（Ｆｌａｋｅ）磁性粉末を用いると、短軸の距離が長軸に比べて近いため、短軸よりは長軸に磁化されやすくなる。このような形状磁気異方性を有する板状のフレーク粉末を含む磁性シートを用いると、高い透磁率のインダクターを製作することができる。
【０００３】
上述のように板状のフレーク粉末を含む磁性シートを積層して高い透磁率を確保するために、下記特許文献１には、上部及び下部のカバー部に、片状化された金属粉末のシートを配置させることが記載されているが、複数のシートを積層する過程で内部に埋め込まれるコイルが変形される恐れがあった。
【先行技術文献】
【特許文献】
【０００４】
【特許文献１】韓国特許公開第２０１４−００７７３４６号公報
【発明の概要】
【発明が解決しようとする課題】
【０００５】
本発明が解決しようとする様々な課題の一つは、コイルの変形を防止して信頼性を改善し、高透磁率を有するコイル部品を提供することである。
【課題を解決するための手段】
【０００６】
本発明の一例によるコイル部品は、巻線型コイルを含む本体と、上記本体の外部面上に配置される外部電極と、を含む。上記本体は、上記巻線型コイルが巻かれた磁心と、上記巻線型コイルを封止する封止体と、を含み、上記磁心と上記封止体はそれぞれ、形状磁気異方性を有する第１磁性粉末と第２磁性粉末を含む。また、上記封止体は、上記第２磁性粉末を含む複数の磁性シートを積層した積層構造を有する。上記第１及び第２磁性粉末の長軸は、上記巻線型コイルの磁場が形成される方向と平行になるように整列される。
【発明の効果】
【０００７】
本発明の様々な効果の一効果は、磁性粉末として形状磁気異方性を有するフレークを使用し、上記フレークの長軸が、コイルの中心部とコイルの外側部を含む全体領域でコイルの磁場の方向と平行になるように配置することで、透磁率を改善し、且つコイルの変形を最小化して構造信頼性を確保したコイル部品を提供することができることである。
【図面の簡単な説明】
【０００８】
【図１】本発明の一例によるコイル部品の概略的な断面図である。
【図２ａ】磁性粉末の形状磁気異方性を示す。
【図２ｂ】磁性粉末の形状磁気異方性を示す。
【図３ａ】磁性粉末の形状磁気異方性を示す。
【図３ｂ】磁性粉末の形状磁気異方性を示す。
【図４】図１の一例によるコイル部品の概略的な分解図である。
【図５】図１の一変形例によるコイル部品の概略的な分解図である。
【図６】図１の他の変形例によるコイル部品の概略的な断面図である。
【図７】本発明の一例によるコイル部品の概略的な工程を示す。
【発明を実施するための形態】
【０００９】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００１０】
なお、本発明を明確に説明すべく、図面において説明と関係ない部分は省略し、様々な層及び領域を明確に表現するために厚さを拡大して示し、同一思想の範囲内において機能が同一である構成要素に対しては同一の参照符号を用いて説明する。
【００１１】
さらに、明細書全体において、ある構成要素を「含む」というのは、特に異なる趣旨の説明がされていない限り、他の構成要素を除外する趣旨ではなく、他の構成要素をさらに含むことができるということを意味する。
【００１２】
以下では、本発明の一例によるコイル部品を説明するが、必ずしもこれに制限されるものではない。
【００１３】
図１は本発明の一例によるコイル部品１００の概略的な断面図である。
【００１４】
図１を参照すると、コイル部品１００は、本体１と、上記本体の外部面上に配置される第１及び第２外部電極２１、２２と、を含む。
【００１５】
図１には、第１及び第２外部電極２１、２２がアルファベットのＣ字状の構造を有するように示されているが、これに限定されるものではなく、本体の実装面にのみ配置される下面電極、すなわち、アルファベットのＬ字状の構造を有するように変形され得ることは言うまでもない。
【００１６】
上記本体１は、厚さ（Ｔ）方向に互いに対向する上面及び下面、長さ（Ｌ）方向に互いに対向する第１端面及び第２端面、幅（Ｗ）方向に互いに対向する第１側面及び第２側面を含み、実質的に六面体で構成されることができるが、本発明はこれに限定されず、上記本体の外形には何ら制限がない。
【００１７】
上記本体１は内部に巻線型コイル１１を含む。巻線型コイルの巻線方式としては、特に制限されないが、例えば、アルファ巻線（ａｌｐｈａ  ｗｉｎｄｉｎｇ）、エッジワイズ巻線（ｅｄｇｅｗｉｓｅ  ｗｉｎｄｉｎｇ）、整列巻線の方式を用いることができる。
【００１８】
その構造を説明すると、上記巻線型コイルは、磁心１２に巻かれるように構成され、封止体１３によって埋め込まれる。また、上記磁心１２は形状磁気異方性を有する第１磁性粉末１２ａを含み、上記封止体１３は形状磁気異方性を有する第２磁性粉末１３ａを含む。
【００１９】
上記第１磁性粉末１２ａ及び上記第２磁性粉末１３ａは、同一の組成及び成分比からなる粒子を有することができるが、これに限定されず、互いに異なる組成及び／または成分比からなる粒子を有することもできる。
【００２０】
上記第１及び第２磁性粉末１２ａ、１３ａが形状磁気異方性を有するとは、粒子の長軸と短軸が区別可能な形状を有し、特定方向に磁束が集中し得ることを意味する。
【００２１】
図２ａ〜図３ｂは磁性粉末の形状磁気異方性を示す。以下では、図２ａ〜図３ｂを参照して、形状磁気異方性を有する上記第１及び第２磁性粉末１２ａ、１３ａの長軸の概念を詳細に説明する。説明の便宜のために、磁心内に含まれる第１磁性粉末１２ａを基準として説明する。上記第１磁性粉末についての内容は上記第２磁性粉末１３ａにもそのまま適用され得る。
【００２２】
図２ａ及び図２ｂを参照すると、第１磁性粉末１２ａは板状を有し、断面が円形（ｒｏｕｎｄ）である。上記第１磁性粉末の断面が円形である場合、３次元構造の中心軸であるＴ軸、Ｌ軸、及びＷ軸の交差点にフレークの中心Ｏを対応させた時に、上記第１磁性粉末において、Ｗ軸に延びる最大長さＬｗが最も短く、Ｌ軸に延びる最大長さＬＬとＴ軸に延びる最大長さＬＴは実質的に同一であり、ＬＴとＬＬのそれぞれは、Ｗ軸に延びる最大長さよりも長い。
【００２３】
したがって、図２ａ及び図２ｂに示された板状の第１磁性粉末は複数の長軸を有し、そのうち一部はＴ軸とＬ軸のそれぞれと平行になるように形成されることが明確である。
【００２４】
次に、図３ａ及び図３ｂは図２ａ及び図２ｂに示された第１磁性粉末１２ａの一変形例による磁性粉末１２ａ'を示す。図２ａ及び図２ｂの第１磁性粉末１２ａを図３ａ及び図３ｂの第１磁性粉末１２ａ'と混合して用いることができ、図２ａ及び図２ｂまたは図３ａ及び図３ｂ以外の形状として、コイルから発生する磁束と長軸を平行にすることができる形状を有する磁性粉末であれば、制限されずに用いることができることは言うまでもない。
【００２５】
図３ａ及び図３ｂを参照すると、第１磁性粉末１２ａ'の断面は楕円形（ｏｖａｌ）であることができる。断面が楕円形である場合、３次元構造の中心軸であるＴ軸、Ｌ軸、及びＷ軸の交差点にフレークの中心Ｏを対応させた時に、第１磁性粉末において、Ｗ軸に延びる最大長さＬｗが最も短く、Ｌ軸に延びる最大長さＬＬは、Ｔ軸に延びる最大長さＬＴより短く、且つＷ軸に延びる最大長さＬｗよりは長い。すなわち、第１磁性粉末において、Ｔ軸に延びる最大長さＬＴが最も長い。
【００２６】
したがって、図３ａ及び図３ｂの板状の第１磁性粉末１２ａ'は、１つの長軸を有し、Ｔ軸と平行になるように形成されることが分かる。
【００２７】
つまり、第１磁性粉末の断面形状がどうであれ、本発明の磁心内に含まれる第１磁性粉末は、Ｗ軸に延びる最大長さＬｗが、その他のＬ軸とＴ軸に延びる最大長さに比べて常に短く形成されると、コイルの磁束を集中させるように配列することが可能となる。換言すると、磁性粉末の長軸が、Ｗ軸ではなく、Ｔ軸及び／またはＬ軸と平行になるように配置されると、磁束の流れがＴ軸とＬ軸に交互に形成され、Ｔ軸またはＬ軸に磁束を集中させることができる。
【００２８】
図２ａ〜図３ｂを参照して説明したように、粒子の外形を変更することで、第１磁性粉末の長軸が１つ以上で構成されるようにすることができ、上記長軸に沿って磁束が集中する特性を用いて、１つ以上の特定方向に磁束を集中させることができる。これは、コイル部品の透磁率を著しく改善する一方法であることが明らかである。
【００２９】
図２ａ〜図３ｂで説明したことに基づき、再び図１を参照すると、上記磁心１２内に含まれる上記第１磁性粉末１２ａは、２つ以上の長軸を有し、そのうち第１長軸Ｖ１と第２長軸Ｖ２は互いに直交する。上記第１及び第２長軸Ｖ１、Ｖ２が互いに直交するため、上記磁心１２は、コイル１１の内部に該当する領域であるコア中心部領域３１、及び上記コア中心部を除いた領域３２の全体にわたって、コイルから発生する磁束を集中させることができる。
【００３０】
同様に、上記封止体１３内に含まれる上記第２磁性粉末１３ａは、２つ以上の長軸を有し、そのうち第１長軸Ｖ３と第２長軸Ｖ４は互いに直交する。上記第１及び第２長軸Ｖ３、Ｖ４が互いに直交するため、上記封止体１３は、コイル１１の上部及び下部に該当する領域だけでなく、コイルの側面に該当する領域の全体にわたって、コイルから発生する磁束を集中させることができる。この場合、コイルの上部及び下部のそれぞれは、封止体内において厚さ（Ｔ）方向を基準としてコイルよりも高い位置及び低い位置に配置される領域を意味し、コイルの側面は、封止体内において長さ（Ｌ）方向及び幅（Ｗ）方向に沿ってコイルよりもさらに延びた位置に配置される領域を意味する。
【００３１】
また、上記本体１の長さ方向における上記磁心１２の長さＬ１は、上記本体１の長さ方向における上記巻線型コイルの長さＬ２よりも長く構成され、上記磁心の両端部面が上記本体の外部面に露出することがある。この場合、磁心の長さＬ１が巻線型コイルの長さＬ２より長いため、上記磁心内で上記巻線型コイルから発生する磁束の方向が変更され得るが、上記コイル部品１００の場合、磁心内に長軸が複数個で構成されているため、巻線型コイルの内部だけでなく、巻線型コイルの外側部でも磁束の方向と磁性粉末の長軸の方向を平行に制御することができる。その結果、コイル部品の透磁率とインダクタンスを著しく改善することができる。
【００３２】
次に、図４は図１のコイル部品の概略的な分解図を示す。図４を参照して、図１の本体１を構成する磁心１２と封止体１３をより詳細に説明する。
【００３３】
図４では、本体の構造をより効果的に説明するために、上記磁心１２に巻かれた巻線型コイルは省略して示す。
【００３４】
図４を参照すると、上記磁心１２は、形状磁気異方性を有するように形成された第１磁性粉末１２ａとポリマーを予め準備した金型内に充填させ、上記第１磁性粉末の長軸が一貫して配列されるように加圧成形することで形成されたものである。これにより、上記磁心は第１磁性粉末とポリマーを含む一体型の構造を有する。また、上記磁心の外面形状は、上記磁心の外形を決定する上記金型の内部境界面の形状に対応する。例えば、上記磁心の外面の表面粗さは、それに対応する位置における上記金型の内部境界面の表面粗さと実質的に同一である。
【００３５】
図４では、上記磁心１２が直六面体形状を有するように構成されている。これは、上記磁心を形成させる金型のキャビティ（ｃａｖｉｔｙ）の形状が直六面体形状であることを意味する。図面には示していないが、上記磁心１２は、長さ（Ｌ）方向と平行に配置される中心軸を含む柱状からなることができることは言うまでもなく、例えば、円柱状であることができる。
【００３６】
一方、上記磁心１２内に含まれる第１磁性粉末１２ａは、少なくとも１つの金属を含み、磁性特性を有するものであれば制限されずに適用可能であって、例えば、Ｆｅ−Ｎｉ系パーマロイ（Ｐｅｒｍａｌｌｏｙ）合金、Ｆｅ−Ｓｉ−Ａｌ系センダスト（ｓｅｎｄｕｓｔ）合金、Ｆｅ−Ｓｉ系合金などを活用することができる。また、上記第１磁性粉末の周囲にはポリマーが含まれることができ、上記第１磁性粉末の表面上にエポキシ樹脂がコーティング処理されることができる。この場合、コーティング処理されるエポキシ樹脂は、上記第１磁性粉末の表面上に別の無機絶縁層なしに直接配置することができる。上記第１磁性粉末の表面上にエポキシ樹脂が直接コーティングされる構造をコア−シェル構造と称する。上記コアは上述の合金の１つ以上であればよく、上記シェルはエポキシ樹脂であればよい。
【００３７】
次に、上記磁心１２に巻かれた巻線型コイルを封止する封止体１３を説明する。図４を参照すると、上記封止体１３は、第２磁性粉末１３ａを含む複数の磁性シート１３１、１３２・・・を積層した積層構造を有する。上記磁性シートは上記幅（Ｗ）方向を積層方向として積層する。この場合、上記磁性シート内の第２磁性粉末の短軸が上記幅（Ｗ）方向に延びる。
【００３８】
上記封止体１３を構成するために、幅（Ｗ）方向を積層方向として磁性シートを積層する理由は、上記封止体により封止される巻線型コイルの磁束方向と、上記磁性シート内に含まれる上記第２磁性粉末の短軸とが互いに直交するように配置するためである。
【００３９】
一方、上記封止体１３内のそれぞれの磁性シートは、硬化性樹脂中に複数の第２磁性粉末が分散された構造を有し、隣接した第２磁性粉末が互いに接触する構造を有する。
【００４０】
上記封止体を構成する磁性シートの数やサイズなどは、要求される特性値、例えば、チップサイズ、透磁率などを考慮して適宜選択することができ、磁性シート中に含まれた硬化性樹脂は、例えば、エポキシ樹脂であることができ、第２磁性粉末は、例えば、パーマロイであることができる。
【００４１】
次に、図５は図１のコイル部品１００の一変形例によるコイル部品３００の概略的な分解図である。図５に示されたコイル部品３００は、図１のコイル部品１００と比較して、磁心３１２が一体型ではなく、積層構造を有するという点で異なる。したがって、以下では、図１のコイル部品と同一に適用される技術内容は省略し、図５の磁心３１２を中心に説明する。
【００４２】
図５では、図４と同様に、本体の構造をより効果的に説明するために、上記磁心１２に巻かれた巻線型コイルは省略する。
【００４３】
図５を参照すると、磁心３１２は、一体型ではなく、積層構造を有する。上記磁心３１２は、第１磁性粉末３１２ａを含む複数の磁性シート３１２１、３１２２、・・・を幅方向に積層した積層構造を有する。上記第１磁性粉末は複数の長軸を有し、それぞれの長軸が、巻線型コイルから発生する磁束の方向と平行になるように配置されることは言うまでもない。これに対し、上記第１磁性粉末は単一の短軸を有し、上記短軸は、巻線型コイルから発生する磁束の方向と直交するように配置されることが好ましいため、幅（Ｗ）方向に配置することが好ましい。
【００４４】
一方、図５に具体的に示されていないが、上記磁心３１２が積層構造で構成されるため、磁心の外面において、磁心とそれに隣接した封止体との間の境界面上には、磁性シート間の段差（ｓｔｅｐ）が不可避に存在する。これは、段差なしに複数の磁性シートを積層することは物理的に不可能であるためである。
【００４５】
図５に示されたコイル部品３００は、図１に示されたコイル部品１００と比較して異なる磁心構造を有するが、上記コイル部品１００と同様に、本体内の全体領域にわたって、巻線型コイル３１１から発生する磁束の方向と、本体内の磁性粉末の長軸の方向とが互いに平行に配列されることができるため、透磁率を著しく向上することができる。
【００４６】
次に、図６は図１のコイル部品のさらに他の変形例によるコイル部品５００の概略的な断面図である。図６に示されたコイル部品５００は、図１のコイル部品１００と比較して、実質的に同一の外観の本体５１を有することと、磁心５１２が一体型であることは共通するが、上記本体５１の長さ方向における磁心５１２の長さが短く構成されるという点で異なる構造を有する。したがって、以下では、図１のコイル部品と同一に適用される技術内容は省略し、図５の磁心５１２の長さ、及びその長さによって変形され得る第１磁性粉末の形状を中心に説明する。
【００４７】
図６を参照すると、上記本体５１の長さ方向における上記磁心５１２の長さＬ３は、上記本体５１の長さ方向における巻線型コイル５１１の長さＬ４と実質的に同一である。これは、巻線型コイル５１１の内部領域と定義されるコア中心部が、上記磁心５１２と一致することを意味する。上記磁心５１２が巻線型コイルのコア中心部にだけ配置されれば十分であるため、上記磁心内に含まれる第１磁性粉末５１２ａの長軸は、巻線型コイルの内部における磁場の方向と平行であればよい。そのため、上記磁心内に含まれる第１磁性粉末５１２ａは、複数の長軸を有することを必須要件とせず、巻線型コイルの内部における磁場の方向と平行な１つの長軸を有することができる。例えば、上記第１磁性粉末５１２ａは、長さ方向に長いリボン（ｒｉｂｂｏｎ）状を有することができる。
【００４８】
図６に示されたコイル部品５００は、図１に示されたコイル部品１００と比較してより小さいサイズの磁心を含むが、上記コイル部品１００と同様に、本体内の全体領域にわたって、巻線型コイル５１１から発生する磁束の方向と本体内の磁性粉末の長軸の方向とが互いに平行に配列されることができるため、透磁率を著しく向上することができる。
【００４９】
図７は本発明の一例によるコイル部品を製造する製造工程を概略的に示すフローチャートである。これは、上述のコイル部品１００、３００、５００の製造方法を限定するものではなく、様々な製造方法の一方法を例示するものである。したがって、当業者であれば、工程条件及び環境を適切に考慮してコイル部品の製造方法を多様に変形可能であることは言うまでもない。
【００５０】
先ず、形状磁気異方性を有する第１磁性粉末を含む磁心を形成する。上記磁心を形成する段階では、金型内に上記第１磁性粉末と硬化性樹脂をともに充填した後、約１〜２ｔｏｎ／ｃｍ２程度の成形圧で加圧してから硬化処理することで製作するか、または硬化用樹脂に上記第１磁性粉末を分散した複数の磁性シートを積層及び硬化し、ダイシングすることでバー（ｂａｒ）形態の磁心を製作することができるが、これに限定されない。
【００５１】
次に、上記磁心に巻線型コイルを所定の巻線回数で巻く。この際、巻線方式は適宜選択することができ、制限されない。但し、この場合、巻線型コイルの内部で磁束が形成される方向が、上記磁心内の第１磁性粉末の短軸の方向と平行に配列されないようにする。これは、磁束と磁性粉末の短軸とが互いに平行に配列される場合、磁束を集中させることができないためである。
【００５２】
表面に巻線型コイルを含む磁心を得た後、形状磁気異方性を有する第２磁性粉末を含む複数の磁性シートが上記磁心を封止することができるように、磁性シートを積層、圧着して硬化する。この際、磁性シートを積層する方向は、上記磁心内の上記第１磁性粉末の短軸が配列される方向と同一の方向と設定することが好ましい。一方、巻線型コイルが、予め硬化が完了した磁心に巻かれている状態であるため、磁性シートを積層、圧着するなど、巻線型コイルを加圧してもコイルの損傷や潰れなどの変形を最小化することができる。
【００５３】
次に、通常の仕上げ工程として、ダイシングにより、内部に埋め込まれた巻線型コイルの引き出し部が外部に露出するようにし、上記引き出し部の表面上に外部電極を形成することで電気的連結を可能とする。
【００５４】
上記の説明を除き、上述の本発明の一例によるコイル部品の特徴と重複する説明はここで省略する。
【００５５】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【００５６】
一方、本発明で用いられた「一例」または「他の一例」という表現は、互いに同一の実施例を意味せず、それぞれ互いに異なる固有の特徴を強調して説明するために提供されるものである。しかしながら、上記提示された一例は、他の一例の特徴と結合して実現されることを排除しない。例えば、特定の一例で説明された事項が他の一例で説明されていなくても、他の一例でその事項と反対であるか矛盾する説明がない限り、他の一例に関連する説明であると理解されることができる。
【００５７】
なお、本発明で用いられた用語は、一例を説明するために説明されたものであるだけで、本発明を限定しようとする意図ではない。このとき、単数の表現は文脈上明確に異なる意味でない限り、複数を含む。
【符号の説明】
【００５８】
１００、３００、５００  コイル部品
１、５１  本体
２１、２２  第１及び第２外部電極
１１  巻線型コイル
１２  磁心
１３  封止体
【図１】
2018110215.tif 000003
【図２ａ】
2018110215.tif 000004
【図２ｂ】
2018110215.tif 000005
【図３ａ】
2018110215.tif 000006
【図３ｂ】
2018110215.tif 000007
【図４】
2018110215.tif 000008
【図５】
2018110215.tif 000009
【図６】
2018110215.tif 000010
【図７】
2018110215.tif 000011